(57)【特許請求の範囲】
【請求項１】
衝撃吸収ロープの端末を把持し、把持した摩擦力によってエネルギーを吸収する衝撃吸収ロープの端末緩衝具であって、
一方側の開口の径よりも、内部へ行くに従って徐々に径が小さくなるテーパ状となったロープ挿通孔を有する複数個のガイド体と、
前記ガイド体の一方側の開口側に位置し、前記ロープ挿通孔に進入可能である、二枚の挟持片からなる挟持具と、
前記二枚の挟持片を一体に固定する固定手段とから成り、
衝撃吸収ロープの最先端側に位置する挟持具の先端部を、ガイド体の挿通孔内に押し入れてなる
衝撃吸収ロープの端末緩衝具。
【請求項２】
挟持片は、ガイド体の挿通孔内へ進入可能な側とは反対側に、左右に突出する耳片を有しており、
二枚の挟持片を合わせたとき、耳片同士が反対側に反り返って左右先端が離隔することを特徴とする
請求項１記載の衝撃吸収ロープの端末緩衝具。
【請求項３】
挟持具は、二枚の挟持片を合わせたとき、ガイド体の挿通孔へ進入する側のふたつの先端部の間は、相反する側に離隔してスリットが形成されることを特徴とする
請求項1又は２記載の衝撃吸収ロープの端末緩衝具。
【請求項４】
挟持片は、バネ鋼によって形成されていることを特徴とする請求項１乃至３のいずれか１項に記載された衝撃吸収ロープの端末緩衝具。
【請求項５】
請求項１乃至４のいずれか１項に記載された衝撃吸収ロープの端末緩衝具を使用する衝撃吸収ロープの端末緩衝方法であって、
落石等の衝撃を受けたとき、衝撃吸収ロープを挟持した挟持具が、その前に位置するガイド体のテーパ状となった挿通孔内に順次進入し、
ガイド体の挿通孔にガイドされて挟持具の先端部が収束して、衝撃吸収ロープを挟持する力が大きくなり、
衝撃を減衰する摩擦力が複数段階に大きくなる
衝撃吸収ロープの端末緩衝方法。
【発明の詳細な説明】
【技術分野】
【０００１】
本発明は、斜面での落石等の衝撃を吸収するために、斜面に沿って配設した衝撃吸収ロープに関するものであり、特にそのロープの端末において衝撃を吸収する端末緩衝具と、それを使用した緩衝方法に関するものである。
【背景技術】
【０００２】
斜面での落石や雪崩を受け止め、その衝撃を吸収する手段として、特開２０００−２６５４２０号公報および特開２００１−１０７３２１号公報に記載されたような斜面をネットで覆った上に、縦横に衝撃吸収ロープを張り巡らし、そのロープで落石等を受け止める方法が開発されている。
衝撃吸収ロープは、斜面に打設したアンカーに取付けた端末緩衝具によって把持するものである。
端末緩衝具は、鋳物製で、内部に屈曲した溝を有しており、この溝にロープを通し、ロープに落石等の衝撃が作用したとき、端末緩衝具内でロープとの間に生じた摩擦力が緩衝作用となってその衝撃エネルギーを吸収し、落石等による装置全体の破損を防止するものである。
【０００３】
前記した端末緩衝具は、鋳物製であるため、高価で、その重量が重く、取扱いが困難で、更には発生した摩擦力が一定で、落石等の衝撃が大きくとも小さくとも、同じ摩擦力しか作用しない。
つまりは、衝撃の大きさに応じた吸収性能を発揮させることが困難であった。
【特許文献１】特開２０００−２６５４２０号公報
【特許文献２】特開２００１−１０７３２１号公報
【発明の開示】
【発明が解決しようとする課題】
【０００４】
解決しようとする課題は、衝撃を吸収する摩擦力が、受けた衝撃の大きさに応じて変化可能であって、安価で、取扱も容易な端末緩衝具とそれを使用した端末緩衝方法を提供することを目的とするものである。
【課題を解決するための手段】
【０００５】
本発明にかかる衝撃吸収ロープの端末緩衝具は、衝撃吸収ロープの端末を把持し、把持した摩擦力によってエネルギーを吸収する衝撃吸収ロープの端末緩衝具であって、
一方側の開口の径よりも、内部へ行くに従って徐々に径が小さくなるテーパ状となったロープ挿通孔を有する複数個のガイド体と、
前記ガイド体の一方側の開口側に位置し、前記ロープ挿通孔に進入可能である、二枚の挟持片からなる挟持具と、
前記二枚の挟持片を一体に固定する固定手段とから成り、
衝撃吸収ロープの最先端側に位置する挟持具の先端部を、ガイド体の挿通孔内に押し入れてなるものである。
また、本発明にかかる他の端末緩衝具では、挟持片は、ガイド体の挿通孔内へ進入可能な側とは反対側に、左右に突出する耳片を有しており、
二枚の挟持片を合わせたとき、耳片同士が反対側に反り返って左右先端が離隔することを特徴とするものである。
また、本発明にかかる他の端末緩衝具では、挟持具は、二枚の挟持片を合わせたとき、ガイド体の挿通孔へ進入する側のふたつの先端部の間は、相反する側に離隔してスリットが形成されることを特徴とするものである。
更に、本発明にかかる他の端末緩衝具では、挟持片は、バネ鋼によって形成されていることを特徴とするものである。
【０００６】
本発明にかかる端末緩衝方法は、請求項１乃至４のいずれか１項に記載された衝撃吸収ロープの端末緩衝具を使用する衝撃吸収ロープの端末緩衝方法であって、
落石等の衝撃を受けたとき、衝撃吸収ロープを挟持した挟持具が、その前に位置するガイド体のテーパ状となった挿通孔内に順次進入し、
ガイド体の挿通孔にガイドされて挟持具の先端部が収束して、衝撃吸収ロープを挟持する力が大きくなり、
衝撃を減衰する摩擦力が複数段階に大きくなるものである。
【発明の効果】
【０００７】
本発明は以上のような構成を有し、以下の効果のうちのいずれか一つを得ることができる。
＜ａ＞落石等の衝撃が大きくなるにつれて、ガイド体のテーパ状の挿通孔に挟持具の先端が入りこんで、ロープを掴む力が大きくなって、衝撃を吸収する摩擦力が大きくなり、大きな衝撃にも対応することができる。
＜ｂ＞衝撃吸収ロープの最先端側に位置する挟持具の先端部を、ガイド体の挿通孔内に押し入れてなるため、より大きな衝撃が作用したとき、最先端側に位置する挟持具がガイド体と一緒に次ぎの挟持具をガイド体内に押し込み、挟持する力が大きくなり、順次摩擦力が大きくなる。
＜ｃ＞二枚の挟持片を合わせたとき、耳片同士が反対側に反り返って左右先端が離隔するため、固定手段によって固定したとき、ロープを確実に挟持することとなる。
＜ｄ＞、挟持具は、二枚の挟持片を合わせたとき、ガイド体の挿通孔へ進入する側のふたつの先端部の間は、相反する側に離隔してスリットが形成されるため、ガイド体の挿通孔に進入したとき、先端が押し縮められて、ロープを強く挟持することができる。
＜ｅ＞挟持片が、バネ鋼によって形成されることにより、その弾性によってロープを挟持することが可能となり、安定した挟持力を得ることができる。
＜ｆ＞挟持具の先端部が、ガイド体の挿通孔内に順次進入して、衝撃を吸収する摩擦力が複数段階に大きくなるため、落石の衝撃に応じたエネルギー吸収が行われ、小さな衝撃から大きな衝撃まで対応可能となる。
【発明を実施するための最良の形態】
【０００８】
＜１＞端末緩衝具の全体の構成
図１２は、斜面に沿ってネット１（金網）を張り、その上に縦横に衝撃吸収ロープ２を張った落石防護ネットの一部斜視図である。
斜面には、アンカー３を打設して、このアンカー３に端末緩衝具Ｂが取付けられている。
図１は図１２のＡ部拡大図であって、アンカー３の地上からの突出部分に、Ｕ字形ボルト４が引っ掛けられている。
端末緩衝具Ｂは、このＵ字形ボルト４と、ガイド体５と、挟持具６から成っている。
【０００９】
＜２＞ガイド体
ガイド体５は、左右に離隔してボルト挿通孔７・７が形成され、その中間に、ロープ挿通孔８が貫通されている。
ロープ挿通孔８は、その一方側の開口９の径よりも、内部へ行くにつれて徐々にその内径が小さくなるよう、テーパ状に形成されている。
他方側の開放口近傍では、テーパ状でなく、ストレートな孔となっている。
ガイド体５は、そのボルト挿通孔７・７に、Ｕ字形ボルト４の平行な両端部を通して、３個が取付けられている。
このとき、各ガイド体５の開口９は、Ｕ字形ボルト４の屈曲部側に位置するようにする。
Ｕ字形ボルト４の両先端には、ナット１５・１５が取付けられて、ガイド体５の離脱を妨げている。
【００１０】
＜３＞挟持片
挟持具６は、バネ鋼によって形成された二つの挟持片１０・１０から成っている。
挟持片１０は、断面半円状の溝部１１と、この溝部１１の一方側端部の左右に突出した耳部１２・１２から成っている、
耳部１２・１２は、溝部１１の左右に、同一平面よりも、若干角度αを成して溝１１の底側へ傾斜している。（図７）
左右の耳部１２・１２には、それぞれ方形のボルト孔１３が形成されている。
また、耳部１２・１２が形成されていない先端部には、溝部１１の左右両側縁が若干ｈ切り欠かれている。
【００１１】
＜４＞挟持具
前記した二つの挟持片１０・１０を、ガイド体５のロープ挿通孔８に通した衝撃吸収ロープ２の両側に位置させ、耳部１２・１２のボルト孔１３に通したボルト１６とナット１７によって一体化し、衝撃吸収ロープ１４を、挟持片１０・１０の溝部１１・１１内に挟み込む。
耳部１２は、角度αだけ傾斜しているため、二つの挟持片１０・１０を合わせたとき、相対する耳部１２・１２は、相反する方向へ反り返ることとなる。
この耳部１２・１２に通したボルト１６にナット１７を螺合して両挟持片１０・１０を一体化すると、耳部１２・１２がその弾性に抗して接着して、安定した挟持力によってロープ２を挟み込むことになる。
溝部１１の左右両側縁は切り欠かれており、挟持片１０・１０を合わせたとき、その先端部にスリット１８が形成されることになる。
挟持具６は、各ガイド体５の開口９側に、その先端を開口９に向けて取付けられる。
【００１２】
＜５＞最端部の挟持具
図の実施例では、３個のガイド体５のそれぞれの前にて、挟持具６が配置されてロープ２を挟持しているが、それら挟持具６のうち、ロープ２の端部側に位置する挟持具６の先端部を、ガイド体５のロープ挿通孔８内に押入れる。
前記したように、挟持具６の先端部には、両挟持片１０・１０の間にスリット１８が形成されているため、挟持片１０・１０をガイド体５のロープ挿通孔８に押し入れたとき、挿通孔８のテーパ状の内壁にガイドされて先端部が収束し、ロープ２をより大きな挟持力によって挟持つこととなる。
つまりは、ロープ２を引張る力が作用したとき、この挟持部分にて、より大きな摩擦力が生じることになる。
【００１３】
＜６＞緩衝作用
落石等が衝突して、衝撃吸収ロープ２に引張力が作用すると、各挟持具６のロープ２を挟持力する力に抗してロープ２が引張られて挟持具６の溝１１・１１の中を移動し、その時その挟持部分に摩擦力が生じ、その衝撃エネルギーと摩擦力が相殺するようにして、エネルギーが減衰する。
より大きなエネルギーが作用すると、衝撃吸収ロープ２の最先端側に位置する挟持具６がガイド体５と一緒に、次の挟持具６を押して、ガイド体５のロープ挿通孔８内に、その先端部を押入れることになる。（図４）
ロープ挿通孔８内に押し入れられた挟持具６は、その先端部が収束し、より大きな挟持力によってロープ２を挟み、引張力が作用したとき、より大きな摩擦力が生じて、より大きなエネルギーを減衰することになる。
それよりも大きな引張力が作用すると、次の挟持具６がガイド体５の挿通孔８内に押入れられ、より大きな挟持力によってロープ２を挟持することになる。（図５）
【図面の簡単な説明】
【００１４】
【図１】端末緩衝具の斜視図
【図２】端末緩衝具の平面図
【図３】端末緩衝具の側面図
【図４】ガイド体によって次の挟持具が押し入れられた状態の平面図
【図５】ガイド体によって次の挟持具が押し入れられた状態の平面図
【図６】挟持片の平面図
【図７】挟持片の左面図
【図８】挟持片の底面図
【図９】ガイド体の断面図
【図１０】挟持具によってロープを挟持した状態の側面図
【図１１】挟持具をガイド体の挿通孔に押し入れた状態の断面図
【図１２】端末緩衝具を使用して衝撃吸収ロープを施工した状態の斜視図
【符号の説明】
【００１５】
Ｂ：端末緩衝具
１：ネット
２：衝撃吸収ロープ
３：アンカー
４：Ｕ字形ボルト
５：ガイド体
６：挟持具
７：ボルト挿通孔
８：ロープ挿通孔
９：開口
１０：挟持片
１１：溝部
１２：耳部
１３：ボルト孔
１５：ナット
１６：ボルト
１７：ナット
１８：スリット
【図１】
0004842290.tif 000002
【図２】
0004842290.tif 000003
【図３】
0004842290.tif 000004
【図４】
0004842290.tif 000005
【図５】
0004842290.tif 000006
【図６】
0004842290.tif 000007
【図７】
0004842290.tif 000008
【図８】
0004842290.tif 000009
【図９】
0004842290.tif 000010
【図１０】
0004842290.tif 000011
【図１１】
0004842290.tif 000012
【図１２】
0004842290.tif 000013